(57)【要約】【課題】システムにおいて発生した障害のエスカレーション先を自動で判定する。【解決手段】判定装置２００は、システムにおいて発生しうる障害を特定するメッセージと、前記障害が発生する装置と、前記障害の技術範囲とを含む障害に関する情報を記憶する障害要素記憶部３１０と、システムにおける障害に対応する解決者の担当する技術範囲と、前記解決者の担当する装置と、前記解決者の対応時間とを含む解決者に関する情報を記憶する解決者要素記憶部３２０と、システムにおいて発生した障害を特定するメッセージを、当該障害が発生した日時とともに受信する送受信部２３０と、送受信部２３０により受信された障害を特定するメッセージ及び障害が発生した日時と、各障害に関する情報と、各解決者に関する情報とに基づいて、システムにおいて発生した障害の解決者を判定する判定部２４０とを備える。【選択図】図１
2013054425.tif 000002
【特許請求の範囲】
【請求項１】
システムにおいて発生しうる障害を特定するメッセージと、前記障害が発生する装置と、前記障害の技術範囲とを含む障害に関する情報を記憶する障害要素記憶部と、
前記システムにおける障害に対応する解決者の担当する技術範囲と、前記解決者の担当する装置と、前記解決者の対応時間とを含む解決者に関する情報を記憶する解決者要素記憶部と、
前記システムにおいて発生した障害を特定するメッセージを、当該障害が発生した日時とともに受信する受信部と、
前記受信部により受信された障害を特定するメッセージ及び障害が発生した日時と、前記障害要素記憶部に記憶される各障害に関する情報と、前記解決者要素記憶部に記憶される各解決者に関する情報とに基づいて、前記システムにおいて発生した障害の解決者を判定する判定部と、
を備えることを特徴とする判定装置。
【請求項２】
各障害に対応した解決者の履歴を記憶する障害対応履歴記憶部を備え、
前記判定部は、前記障害対応履歴記憶部に記憶される各障害に対応した解決者の履歴に基づいて、前記システムにおいて発生した障害の解決者を判定する
ことを特徴とする請求項１に記載の判定装置。
【請求項３】
判定装置が、システムにおいて発生した障害を特定するメッセージを当該障害が発生した日時とともに受信するステップと、
前記判定装置が、受信した前記障害を特定するメッセージ及び前記障害が発生した日時と、前記システムにおいて発生しうる障害を特定するメッセージ、前記障害が発生する装置、及び前記障害の技術範囲を含む障害に関する情報と、前記システムにおける障害に対応する解決者の担当する技術範囲、前記解決者の担当する装置、及び前記解決者の対応時間を含む解決者に関する情報とに基づいて、前記システムにおいて発生した障害の解決者を判定するステップと、
を有することを特徴とする判定方法。
【請求項４】
コンピュータに、
システムにおいて発生した障害を特定するメッセージを当該障害が発生した日時とともに受信するステップと、
受信した前記障害を特定するメッセージ及び前記障害が発生した日時と、前記システムにおいて発生しうる障害を特定するメッセージ、前記障害が発生する装置、及び前記障害の技術範囲を含む障害に関する情報と、前記システムにおける障害に対応する解決者の担当する技術範囲、前記解決者の担当する装置、及び前記解決者の対応時間を含む解決者に関する情報とに基づいて、前記システムにおいて発生した障害の解決者を判定するステップと、
を実行させるためのプログラム。
【発明の詳細な説明】
【技術分野】
【０００１】
本発明は、判定装置、判定方法及びプログラムに関する。
【背景技術】
【０００２】
現代のＩＴ（Ｉｎｆｏｒｍａｔｉｏｎ  Ｔｅｃｈｎｏｌｏｇｙ）システムは、複雑で関係者も多いため、ＩＴシステムにおいて発生した障害のエスカレーション先（解決者）を、画一的に定義することは困難である。例えば、同じハードウェア障害でも、装置ごとにエスカレーション先の部門も異なれば、障害発生時間によっても異なる。例えば、装置ＡではＸ部門がエスカレーション先であり、装置ＢではＹ部門がエスカレーション先である場合がある。そのため、ＩＴシステムを構成する要素毎にエスカレーション先を逐一定義する必要がある。
特許文献１には、内容に応じて分類される分類別重要度情報と、基点ごとに見直しを行う基点別重要度情報と、が付与された回送情報を、基点から基点に回送するエスカレーション方法が記載されている。
【先行技術文献】
【特許文献】
【０００３】
【特許文献１】特開２００４−２４６７９７号公報
【発明の概要】
【発明が解決しようとする課題】
【０００４】
しかしながら、障害に対するエスカレーション先を定義しても、ＩＴシステムにおける障害は様々な要因が関わりあっており、ケースバイケースで最適なエスカレーション先が変わり、高度な技術者以外では適切な判断が難しい。例えば、普段のエスカレーション先はＸ部門だが、夜間の場合にはＹ部門がエスカレーション先になるなど、時間帯に応じてエスカレーション先が異なる場合がある。
また、特許文献１に記載された技術では、各基点の担当者の主観に依存するため、担当者が判断ミスをした場合に、誤ったエスカレーション先が選択される場合がある。
【０００５】
本発明は、上述の課題を解決することのできる判定装置、判定方法及びプログラムを提供することを目的とする。
【課題を解決するための手段】
【０００６】
本発明は上記の課題を解決するためになされたものであり、システムにおいて発生しうる障害を特定するメッセージと、前記障害が発生する装置と、前記障害の技術範囲とを含む障害に関する情報を記憶する障害要素記憶部と、前記システムにおける障害に対応する解決者の担当する技術範囲と、前記解決者の担当する装置と、前記解決者の対応時間とを含む解決者に関する情報を記憶する解決者要素記憶部と、前記システムにおいて発生した障害を特定するメッセージを、当該障害が発生した日時とともに受信する受信部と、前記受信部により受信された障害を特定するメッセージ及び障害が発生した日時と、前記障害要素記憶部に記憶される各障害に関する情報と、前記解決者要素記憶部に記憶される各解決者に関する情報とに基づいて、前記システムにおいて発生した障害の解決者を判定する判定部と、を備えることを特徴とする判定装置である。
【０００７】
また、本発明の一態様は、判定装置が、システムにおいて発生した障害を特定するメッセージを当該障害が発生した日時とともに受信するステップと、前記判定装置が、受信した前記障害を特定するメッセージ及び前記障害が発生した日時と、前記システムにおいて発生しうる障害を特定するメッセージ、前記障害が発生する装置、及び前記障害の技術範囲を含む障害に関する情報と、前記システムにおける障害に対応する解決者の担当する技術範囲、前記解決者の担当する装置、及び前記解決者の対応時間を含む解決者に関する情報とに基づいて、前記システムにおいて発生した障害の解決者を判定するステップと、を有することを特徴とする判定方法である。
【０００８】
また、本発明の一態様は、コンピュータに、システムにおいて発生した障害を特定するメッセージを当該障害が発生した日時とともに受信するステップと、受信した前記障害を特定するメッセージ及び前記障害が発生した日時と、前記システムにおいて発生しうる障害を特定するメッセージ、前記障害が発生する装置、及び前記障害の技術範囲を含む障害に関する情報と、前記システムにおける障害に対応する解決者の担当する技術範囲、前記解決者の担当する装置、及び前記解決者の対応時間を含む解決者に関する情報とに基づいて、前記システムにおいて発生した障害の解決者を判定するステップと、を実行させるためのプログラムである。
【発明の効果】
【０００９】
本発明によれば、システムにおいて発生した障害のエスカレーション先を自動で判定することができる。
【図面の簡単な説明】
【００１０】
【図１】本発明の一実施形態によるエスカレーション先判定システムの構成を示すブロック図である。
【図２】本実施形態による障害要素記憶部が記憶する障害要素テーブルのデータ構造及びデータ例を示す概略図である。
【図３】本実施形態による解決者要素記憶部が記憶する解決者要素テーブルのデータ構造及びデータ例を示す概略図である。
【図４】本実施形態によるエスカレーション先記憶部が記憶するエスカレーション先テーブルのデータ構造及びデータ例を示す概略図である。
【図５】本実施形態による障害対応履歴記憶部が記憶する障害対応履歴テーブルのデータ構造及びデータ例を示す概略図である。
【図６】本実施形態によるエスカレーション先を判定する動作の手順を示すフローチャートである。
【発明を実施するための形態】
【００１１】
以下、図面を参照しながら本発明の実施形態について詳しく説明する。
図１は、本実施形態によるエスカレーション先判定システムの構成を示すブロック図である。
エスカレーション先判定システムは、対象ＩＴシステム１００と、判定装置２００と、ユーザ端末１１０とを含んで構成される。対象ＩＴシステム１００と、判定装置２００と、ユーザ端末１１０とはＬＡＮ（Ｌｏｃａｌ  Ａｒｅａ  Ｎｅｔｗｏｒｋ）やインターネット等の通信網を介して通信する。
【００１２】
対象ＩＴシステム１００は、サーバ装置やネットワーク機器等から構成されるＩＴシステムである。
ユーザ端末１１０は、携帯電話機、スマートフォン、パーソナルコンピュータ等の端末装置であり、対象ＩＴシステム１００の監視者等のユーザが使用する。
【００１３】
判定装置２００は、コンピュータ等により構成され、対象ＩＴシステム１００において発生した障害のエスカレーション先を判定し、判定したエスカレーション先を発生した障害とともにユーザ端末１１０に通知する。エスカレーション先とは、障害に対応する（障害を解決する）解決者である。判定装置２００は、送受信部２３０と、判定部２４０と、記憶部３００とを含んで構成される。
送受信部２３０は、対象ＩＴシステム１００及びユーザ端末１１０と通信してデータを送受信する。例えば、送受信部２３０は、対象ＩＴシステム１００において発生した障害を特定するメッセージ（以下、障害メッセージとする）を当該障害が発生した日時（以下、発生日時とする）とともに対象ＩＴシステム１００から受信する。また、送受信部２３０は、対象ＩＴシステム１００において発生した障害のエスカレーション先を示すメッセージをユーザ端末１１０に送信する。
【００１４】
記憶部３００は、障害要素記憶部３１０と、解決者要素記憶部３２０と、エスカレーション先記憶部３３０と、障害対応履歴記憶部３４０とを含んで構成される。
障害要素記憶部３１０は、対象ＩＴシステム１００において発生しうる各障害に関する情報である障害要素テーブルを記憶する。障害要素テーブルの詳細は後述する。
解決者要素記憶部３２０は、対象ＩＴシステム１００における障害に対応する各解決者に関する情報を示す解決者要素テーブルを記憶する。解決者要素テーブルの詳細は後述する。
エスカレーション先記憶部３３０は、判定部２４０により判定された障害のエスカレーション先を示すエスカレーション先テーブルを記憶する。エスカレーション先テーブルの詳細は後述する。
障害対応履歴記憶部３４０は、対象ＩＴシステム１００において過去に発生した各障害のエスカレーション先（解決者）の履歴を示す障害対応履歴テーブルを記憶する。障害対応履歴テーブルの詳細は後述する。
【００１５】
判定部２４０は、算出部２１０と学習部２２０とを含んで構成され、記憶部３００に記憶された情報に基づいて、対象ＩＴシステム１００において発生した障害のエスカレーション先（解決者）を判定する。
算出部２１０は、送受信部２３０により受信された障害メッセージ及び発生日時と、障害要素テーブルと、解決者要素テーブルとに基づいて、対象ＩＴシステム１００において発生した障害のエスカレーション先（解決者）を判定する。
学習部２２０は、送受信部２３０により受信された障害メッセージ及び発生日時と、障害要素テーブルと、解決者要素テーブルと、障害対応履歴テーブルとに基づいて、対象ＩＴシステム１００において発生した障害のエスカレーション先（解決者）を判定する。具体的には、学習部２２０は、例えばＧＡ（遺伝子的アルゴリズム）や機能論理アルゴリズム等の機械学習を用いて、障害対応履歴テーブルに基づいて、障害メッセージ及び発生日時とエスカレーション先との相関関係を学習する。そして、学習部２２０は、学習結果と、障害要素テーブルと、解決者要素テーブルと、障害対応履歴テーブルとに基づいて、対象ＩＴシステム１００において発生した障害の解決者を判定する。
【００１６】
図２は、本実施形態による障害要素記憶部３１０が記憶する障害要素テーブルのデータ構造及びデータ例を示す概略図である。図示するように、障害要素テーブルは、行と列からなる２次元の表形式のデータであり、番号と、障害と、障害メッセージと、技術範囲と、発生装置と、発生時間との各項目を有している。このテーブルの各行は障害毎に存在する。障害要素テーブルにおける各データは、予めユーザにより登録されている。
番号は、障害の識別情報である。障害は、対象ＩＴシステム１００において発生しうる障害である。障害メッセージは、対応する障害が発生した場合に、対象ＩＴシステム１００が判定装置２００に送信するメッセージである。技術範囲は、対応する障害の技術範囲である。発生装置は、対応する障害が発生する装置である。発生時間は、対応する障害が発生しうる時間である。
【００１７】
図示する例では、障害Ａは、障害メッセージ「システムがダウンしました。」であり、技術範囲「ＯＳ」であり、発生装置「サーバ１号機」であり、発生時間「平日日勤帯」である。また、障害Ｂは、障害メッセージ「ハードディスクが故障しました。」であり、技術範囲「ハードディスク」であり、発生装置「サーバ１号機」であり、発生時間「平日夜勤帯」である。また、障害Ｃは、障害メッセージ「アプリケーションでエラーが発生しました。」であり、技術範囲「アプリケーション」であり、発生装置「サーバ２号機」であり、発生時間「休日」である。
【００１８】
図３は、本実施形態による解決者要素記憶部３２０が記憶する解決者要素テーブルのデータ構造及びデータ例を示す概略図である。図示するように、解決者要素テーブルは、行と列からなる２次元の表形式のデータであり、番号と、解決者と、担当技術範囲と、担当装置と、対応時間との各項目を有している。このテーブルの各行は解決者毎に存在する。解決者要素テーブルにおける各データは、予めユーザにより登録されている。
番号は、解決者の識別情報である。解決者は、対象ＩＴシステム１００における障害に対応する（障害を解決する）解決者である。本実施形態では、解決者は、障害を解決する部門である。担当技術範囲は、解決者が担当する技術範囲である。担当装置は、解決者が担当する装置である。対応時間は、解決者が対応可能な時間である。
【００１９】
図示する例では、解決者「社内保守部門」は、担当技術範囲「ＯＳ」であり、担当装置「システム全体」であり、対応時間「平日日勤帯のみ」である。また、解決者「社内ＳＥ部門」は、担当技術範囲「アプリケーション」であり、担当装置「サーバ１号機及びサーバ２号機」であり、対応時間「平日日勤帯のみ」である。また、解決者「ベンダー保守部門」は、担当技術範囲「ハードウェア」であり、担当装置「サーバ１号機、サーバ２号機、サーバ３号機、サーバ４号機及びサーバ５号機」であり、対応時間「３６５日２４時間」である。
【００２０】
図４は、本実施形態によるエスカレーション先記憶部３３０が記憶するエスカレーション先テーブルのデータ構造及びデータ例を示す概略図である。図示するように、エスカレーション先テーブルは、行と列からなる２次元の表形式のデータであり、番号と、障害メッセージと、発生時間と、エスカレーション先と、問い合わせ先と、問い合わせする際の注意事項との各項目を有している。エスカレーション先テーブルには、判定部２４０により判定されたエスカレーション先に関する情報が格納される。エスカレーション先テーブルの各データは、判定部２４０により書き込まれる。
番号は、判定部２４０による判定結果の識別情報である。障害メッセージは、対象ＩＴシステム１００において発生した障害を特定するメッセージである。発生時間は、障害が発生した日時である。エスカレーション先は、判定部２４０により判定された障害のエスカレーション先である。問い合わせ先は、エスカレーション先の問い合わせ先（例えば、電話番号、メールアドレス、ウェブサイト等）である。問い合わせする際の注意事項は、エスカレーション先に問い合わせする際の注意事項である。問い合わせ先及び問い合わせする際の注意事項は、エスカレーション先毎に予め記憶部３００に記憶されている。
【００２１】
図示する例では、障害メッセージ「システムがダウンしました。」は、発生時間が「２０１１／０８／１５  ９：００」であり、エスカレーション先「社内保守部門」であり、問い合わせ先「０３−ＸＸＸＸ−ＸＸＸＸ」である。また、障害メッセージ「ハードディスクが故障しました。」は、発生時間が「２０１１／０８／１０  １２：００」であり、エスカレーション先「ベンダー保守部門」であり、問い合わせ先「０３−ＸＸＸＸ−ＸＸＸＹ」である。また、障害メッセージ「アプリケーションでエラーが発生しました。」は、発生時間が「２０１１／０８／０１  ２３：００」であり、エスカレーション先「社内ＳＥ部門」であり、問い合わせ先「０３−ＸＸＸＸ−ＸＸＸＺ」である。
【００２２】
図５は、本実施形態による障害対応履歴記憶部３４０が記憶する障害対応履歴テーブルのデータ構造及びデータ例を示す概略図である。図示するように、障害対応履歴テーブルは、行と列からなる２次元の表形式のデータであり、番号と、障害メッセージと、発生時間と、発生装置と、被疑技術範囲と、エスカレーション先との各項目を有している。障害対応履歴テーブルの各データは、ユーザが手動で入力するか、或いは、他のシステムと連動しており障害が解決すると自動的に登録される。
番号は、履歴の識別情報である。障害メッセージは、障害を特定するメッセージである。発生時間は、障害が発生した日時である。発生装置は、障害が発生した装置である。被疑技術範囲は、発生した障害の原因となる技術範囲である。エスカレーション先は、障害に対応した（障害を解決した）解決者である。
【００２３】
図示する例では、障害メッセージ「システムがダウンしました。」は、発生時間が「２０１１／０８／１５  ９：００」であり、発生装置「サーバ１号機」であり、被疑技術範囲「ソフトウェア」であり、エスカレーション先「社内保守部門」である。また、障害メッセージ「ハードディスクが故障しました。」は、発生時間が「２０１１／０８／１０  １２：００」であり、発生装置「サーバ１号機」であり、被疑技術範囲「ハードウェア」であり、エスカレーション先「ベンダー保守部門」である。
【００２４】
次に、図６を参照して、本実施形態による判定装置２００におけるエスカレーション先を判定する動作について説明する。図６は、本実施形態によるエスカレーション先を判定する動作の手順を示すフローチャートである。以下、判定装置２００が、対象ＩＴシステム１００から障害メッセージ「システムがダウンしました。」を受信した場合を例に説明する。
まず、送受信部２３０が、対象ＩＴシステム１００から障害メッセージ「システムがダウンしました。」とともに当該障害メッセージの発生日時「2０１１／０８／１５  ９：００」を受信する（ステップＳ１０１）。
次に、判定部２４０が、障害対応履歴テーブルに、障害対応履歴が所定数以上登録されているか否かを判定する。（ステップＳ１０２）。
【００２５】
障害対応履歴が所定数以上登録されている場合（ステップＳ１０２：Ｙｅｓ）、学習部２２０が、障害のエスカレーション先を判定する（ステップＳ１０３）。具体的には、まず、学習部２２０は、機会学習により、障害対応履歴テーブルに基づいて、障害メッセージ及び発生日時とエスカレーション先との相関関係を学習する。そして、学習部２２０は、障害メッセージ「システムがダウンしました。」と発生日時「2０１１／０８／１５  ９：００」とに対応するエスカレーション先が学習結果にある場合は、学習結果に基づいてエスカレーション先を判定する。一方、障害メッセージ「システムがダウンしました。」と発生日時「2０１１／０８／１５  ９：００」とに対応するエスカレーション先が学習結果にない場合は、障害要素テーブルと、解決者要素テーブルとに基づいて、エスカレーション先を判定する。具体的には、まず、学習部２２０は、障害メッセージ「システムがダウンしました。」に対応する技術範囲「システム全体」と、発生装置「サーバ１号機」とを障害要素テーブルから読み出す。次に、学習部２２０は、担当技術範囲が読み出した技術範囲「ＯＳ」であって、担当装置が読み出した発生装置「サーバ１号機」を含み、対応時間が発生日時「2０１１／０８／１５  ９：００」を含む解決者「社内保守部門」をエスカレーション先とする。
【００２６】
一方、障害対応履歴が所定数より少ない場合（ステップＳ１０２：Ｎｏ）、算出部２１０が、障害のエスカレーション先を判定する（ステップＳ１０４）。具体的には、まず、算出部２１０は、障害メッセージ「システムがダウンしました。」に対応する技術範囲「システム全体」と、発生装置「サーバ１号機」とを障害要素テーブルから読み出す。次に、算出部２１０は、担当技術範囲が読み出した技術範囲「ＯＳ」であって、担当装置が読み出した発生装置「サーバ１号機」を含み、対応時間が発生日時「2０１１／０８／１５  ９：００」を含む解決者「社内保守部門」をエスカレーション先とする。
【００２７】
ステップＳ１０３又はＳ１０４に続いて、送受信部２３０が、受信した障害メッセージ「システムがダウンしました。」と、受信した発生日時「2０１１／０８／１５  ９：００」と、判定されたエスカレーション先とをユーザ端末１１０に通知する（ステップＳ１０５）。例えば、送受信部２３０は、電子メールにより障害メッセージと発生日時とエスカレーション先とをユーザ端末１１０に送信してもよいし、障害メッセージと発生日時とエスカレーション先とをユーザ端末１１０の表示部に表示してもよい。
【００２８】
このように、本実施形態によれば、障害要素テーブルと、解決者要素テーブルとを予め記憶し、受信した障害メッセージと、発生日時と、障害要素テーブルと、解決者要素テーブルとに基づいて、障害に対応するエスカレーション先を判定する。これにより、各障害のエスカレーション先を自動的に短時間で判定することができ、障害対応時間の短縮に繋がる。また、判定が個人の主観に依存しないため、画一的な対応が可能となる。
更に、過去の障害対応履歴を示す障害対応履歴テーブルに基づいて、障害メッセージ及び発生日時とエスカレーション先との相関関係を機械学習しているため、エスカレーション先をより精度良く判定することができる。
【００２９】
また、図６に示す各ステップを実現するためのプログラムをコンピュータ読み取り可能な記録媒体に記録して、この記録媒体に記録されたプログラムをコンピュータシステムに読み込ませ、実行することにより、障害に対応するエスカレーション先を判定する処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３１】
以上、図面を参照してこの発明の実施形態について詳しく説明してきたが、具体的な構成は上述のものに限られることはなく、この発明の要旨を逸脱しない範囲内において様々な設計変更等をすることが可能である。
例えば、上述した実施形態では、学習部２２０は、障害メッセージを受信してから、障害メッセージ及び発生日時とエスカレーション先との相関関係を機械学習しているが、例えば、障害対応履歴テーブルが更新されたときや所定時間毎等、他のタイミングで障害メッセージ及び発生日時とエスカレーション先との相関関係を機械学習してもよい。
【符号の説明】
【００３２】
１００…対象ＩＴシステム  １１０…ユーザ端末  ２００…判定装置  ２１０…算出部  ２２０…学習部  ２３０…送受信部  ２４０…判定部  ３００…記憶部  ３１０…障害要素記憶部  ３２０…解決者要素記憶部  ３３０…エスカレーション先記憶部  ３４０…障害対応履歴記憶部
【図１】
2013054425.tif 000003
【図２】
2013054425.tif 000004
【図３】
2013054425.tif 000005
【図４】
2013054425.tif 000006
【図５】
2013054425.tif 000007
【図６】
2013054425.tif 000008